(57)【要約】【課題】簡便な操作で洗浄作業も行なえ、かつ部品点数も少なく安価に製造できるモップ用回転バケツを提供する。【解決手段】モップを洗浄、脱水可能な上面開口容器状筐体と筐体の下方に設けられた駆動機構１とからなるモップ用回転バケツにおいて、駆動機構１は台座２と前記台座に立設した支持部１１に回動可能に設けられた踏み部１０１を有するペダル１０と、ペダルの一端に連接された直線歯車１２２と、直線歯車の歯１２７によって回転可能に設けられた台座上の第一歯車３１と、第二歯車３２とからなり、第一歯車と第二歯車にそれぞれ隣接した第三歯車と第四歯車に立設した第一回転軸と第二回転軸が設けられ回転軸用孔に挿通し、第一回転軸４１又は第二回転軸４２に回転可能な洗浄ヘッドを設け、第二回転軸又は第一回転軸に回転可能な脱水カゴを設けてなるモップ用回転バケツ。【選択図】図７
2011251112.tif 000002
【特許請求の範囲】
【請求項１】
モップを洗浄、脱水可能な上面開口容器状筐体と前記筐体の下方に設けられた駆動機構とからなるモップ用回転バケツにおいて、前記筐体は底部に第一回転軸用孔と第二回転軸用孔とを有し、前記駆動機構は台座と、前記台座に立設した支持部に回動可能に設けられた踏み部を有するペダルと、ペダルに接続された駆動用歯車と、前記駆動用歯車の歯によって回転可能に設けられた台座上の第一歯車と、第二歯車とからなり、
第一歯車と第二歯車にそれぞれ隣接した第三歯車と第四歯車と、前記第三歯車と第四歯車とに前記回転軸用孔に挿通される第一回転軸と第二回転軸を立設し、前記第一回転軸又は第二回転軸に回転可能な洗浄ヘッドを設け、第二回転軸又は第一回転軸に回転可能な脱水カゴを設けてなることを特徴とするモップ用回転バケツ。
【請求項２】
前記駆動用歯車は直線歯車であることを特徴とする請求項１に記載のモップ用回転バケツ。
【請求項３】
前記直線歯車のペダル側に縦長孔を設け、前記直線歯車の両側にガイドレールを設けたことを特徴とする請求項１又は請求項２に記載のモップ用回転バケツ。
【請求項４】
前記台座は第一台座と第二台座に分離してなることを特徴とする請求項１から３のいずれか一項に記載のモップ用回転バケツ。
【発明の詳細な説明】
【技術分野】
【０００１】
本発明は、モップ用バケツに関に関するものであり、特に、モップの洗浄、脱水に優れたバケツに関する。
【背景技術】
【０００２】
従来、床掃除に用いるモップを洗浄できる桶体に脱水層となるバスケットおよび駆動機構を備えたモップ洗浄用脱水桶が知られている（特許文献１）。
【０００３】
このモップ洗浄用脱水桶の駆動機構は、バスケットを駆動するため、桶体内に装着され、底座、大歯車、ペダル、弧状歯車、ねじりばね、回転軸、小歯車および単一方向軸受装置を有する。弧状歯車34と傘型歯車321とが噛み合うことによって傘型歯車321と大歯車32とを同軸で回転させる。これにより、その駆動方式が直接大歯車32を回転させる方式よりも小さい力で済むようになっている。
【０００４】
しかし、従来のモップ洗浄用脱水桶ではモップを洗浄するためには手でモップを洗浄したり、筐体の底面や側面にモップを押し当てて洗浄しなければならなかった。そのために、作業者は不便を生じていた。
【先行技術文献】
【特許文献】
【０００５】
【特許文献１】実用新案登録３１５５７００号公報
【発明の開示】
【発明が解決しようとする課題】
【０００６】
本発明は、上記の事情に鑑みてなされたもので、簡便な操作で洗浄作業も行なえ、かつ部品点数も少なく安価に製造できるモップ用回転バケツを提供することを目的とする。
【課題を解決するための手段】
【０００７】
前記課題を解決するため請求項1記載の発明にあっては、モップを洗浄、脱水可能な上面開口容器状筐体と前記筐体の下方に設けられた駆動機構とからなるモップ用回転バケツにおいて、前記筐体は底部に第一回転軸用孔と第二回転軸用孔とを有し、前記駆動機構は台座と、前記台座に立設した支持部に回動可能に設けられた踏み部を有するペダルと、ペダルに接続された駆動用歯車と、前記駆動用歯車の歯によって回転可能に設けられた台座上の第一歯車と、第二歯車とからなり、第一歯車と第二歯車にそれぞれ隣接した第三歯車と第四歯車と、前記第三歯車と第四歯車とに前記回転軸用孔に挿通される第一回転軸と第二回転軸を立設し、前記第一回転軸又は第二回転軸に回転可能な洗浄ヘッドを設け、第二回転軸又は第一回転軸に回転可能な脱水カゴを設けてなる。
【０００８】
請求項２記載の発明にあっては、駆動用歯車は直線歯車とした。
【０００９】
請求項３記載の発明にあっては、直線歯車のペダル側に縦長孔を設け、直線歯車の両側にガイドレールを設けてなる。
【００１０】
請求項４記載の発明にあっては、台座は第一台座と第二台座に分離してなる。
【発明の効果】
【００１１】
本発明によれば、簡便な操作で洗浄作業が行なえる。また、部品点数も少ないので安価にモップ用回転バケツを提供できる。
【発明を実施するための最良の形態】
【００１２】
以下、本発明の一実施形態を図に従って説明する。
図１は本発明のモップ用回転バケツの斜視図であり、図２は本発明のモップ用回転バケツにモップを装着（洗浄）した一部切り欠き斜視図を示し、図３は本発明のモップ用回転バケツにモップを装着（脱水）した斜視図を示し、図４は本発明のモップ用回転バケツにおける回転操作の説明図であり、図５は本発明に用いられるモップの斜視図であり、図6は図５の分解説明図であり、図７は本発明の駆動機構の説明図であり、図８が直線歯車の部分拡大図である。
【００１３】
（第一の実施形態）
図１から図４に示すように、本発明のモップ用回転バケツはモップを洗浄、脱水可能な上面開口容器状筐体7と筐体の下方に設けられた駆動機構1とからなる。
【００１４】
筐体は略長方形の樹脂製で作られた底面と4つの側面からなる深さが25センチ程度の容器状で、側面上方には持ち運び用の樹脂製把手73が設けてある。
【００１５】
筐体の短手側面下方にはペダル10を収容可能に凹部74が形成され、筐体底面に第一回転軸用孔と第二回転軸用孔（図示なし）とを有している。
【００１６】
筐体の一方の短手側面72は円弧状に膨出しておりその上部には深さ10センチ程度の円形の脱水カゴ81が回転可能に固定されている。また、脱水カゴの側面を囲うように脱水カゴフレーム82を設けることもできる。
【００１７】
脱水カゴは、樹脂製からなる底部に後述する第一又は第二回転軸41,42と結合する回転軸受を有する底面と、側面に水切りスリット83とを多数有する筐体内で回転可能なカゴである。
【００１８】
水切りスリット83は幅2〜5ミリ、長さ30〜80ミリ程度に切り込まれたスリットであり、円周側面は1個が２つの対のスリットからなっていて上下２段に30〜40個のスリットが成形され、円形底面には内側、外側２段に40〜60個のスリットが形成されている。
【００１９】
筐体底面の第二回転軸孔の周囲は直径5センチ程度の円形状の穴75となっており、その外周は筐体底面から内部に膨出した山形の円錐76となっており、その斜面に洗浄用突起77が複数設けられている。円形上の穴には第二回転軸の先端に接続された洗浄ヘッド78が設けてある。
【００２０】
洗浄ヘッド78も樹脂製で直径5センチ程度の円筒の上に円錐を連接し、さらに先端にモップを嵌合可能な洗浄ヘッド嵌合突起79を有する直径2〜3センチ、高さ1〜3センチ程度の円筒状の段部80を設けてあり、その周囲に洗浄ヘッド嵌合突起79が４つ設けてある。
【００２１】
図７に示すように、駆動機構1は台座2と台座に立設した２つの支持部11と、支持部に回動可能に設けられたペダル10とペダルの突出部102（図８）に接続された歯車122と、歯車の歯によって回転可能に設けられた台座上の第一歯車31と、第二歯車32と、第一回転軸41と、第二回転軸42とからなる。
【００２２】
台座は平板状であり、ベース材を樹脂で成形する場合には、互いに対向する立設した2枚の支持部11となる支持板と、ガイドレール212,222とストッパー24（図８）及び固定筒25を一体に成形することができる。
【００２３】
そして、支持板側面には強度アップのために多数のリブを設けてある。支持板形状は略三角形状で上部の角近傍にペダル10を軸支する軸孔を有している。
【００２４】
台座は第一台座21と第二台座22を一体に構成することも可能であるし、別体に構成することも可能である。また、台座の素材は樹脂、金属または木などから選択することができる。
【００２５】
2枚の対向した支持板11の軸孔の間には、一端が回動可能に固定されたペダル10と回動ばね14が軸13によって同軸に軸支されている。回動ばね14は一端がペダルに、他端が支持板に固定されていてペダルを常に踏み込む前の状態（上側）に向かって付勢するコイルばねである。
【００２６】
ペダルは10ミリから30ミリ程度の厚みがある略円弧形状部材で一端に円形の軸孔を有し、他端に踏み部101、中間に突出部102を有する強固な樹脂製部材である。そして、強度アップのために多数のリブが全体に設けられている。
【００２７】
突出部102には先端付近に孔が設けられ、その孔にピン17が挿入され、ピンは直線歯車122の一端に設けられた起立部123の両側板124に挟まれた状態で、起立部に移動可能に軸支される。つまりペダルの突出部が縦長孔間で上下に移動可能に固定される。
【００２８】
踏み部101は足で踏みつけられる部分で、踏みつけやすく滑り難いように短手方向に5〜8本の滑り止めリブ1011が設けられている。
【００２９】
台座のガイドレール212,222は、台座上に対向して成形された部分的なレールで、起立した側面2121と側面上部から内側（対向側）に屈曲する折り曲げ部2122とからなり、直線歯車122がスムーズに長手方向に摺動できるようにガイドしている。
【００３０】
一方、ストッパ−24は、台座から突出した突起で初期状態（踏みつけ前）のペダルの突出部102のほぼ直下に位置している。
【００３１】
固定筒25は、高さが20〜30ミリ程度の固定ネジを受入れ可能な一体成形された筒部であり、第一歯車31側と第二歯車32側にそれぞれ設けられている。
【００３２】
直線歯車122は樹脂製の長手方向側面片側に歯127を多数設けたラックであり、台座に設けられたガイドレール212,212によって案内され台座を摺動する幅10〜30ミリ程度の直線状歯車である。一端にはペダルの力を受ける上方に起立した起立部123が設けてある。起立部の下部には切り欠き126が設けてあり、ばねの弾性で初期状態戻るときに、切り欠きがストッパー24に当接し停止する。
【００３３】
また、台座には10〜20センチ程度の間隔をおいて２つの樹脂製円形歯車である第一歯車31と第二歯車32が直線歯車122の歯127と噛み合うように設置されている。第一、第二歯車31,32は２段一体に構成されており通常上段と下段の直径は相違し、歯車の歯の数も異なる。つまり、下段が直線歯車122によって回転すると、上段も一体となり回転する構成となっている。第一歯車31と第二歯車32とは歯車のギヤ比が異なっている。
【００３４】
第一歯車31の下段は直径1〜5センチ程度の歯車（図示なし）で、上段は直径6〜10センチ程度の大径歯車312である。第二歯車32は下段が直径1〜5センチ程度の歯車321で、上段も直径1〜5センチ程度の歯車322とすることができる。
【００３５】
そして、第一歯車31の上段歯車312と第二歯車32の上段歯車322とはそれぞれ第三歯車33と第四歯車34と噛み合っている。第三歯車33及び第四歯車34は樹脂と金属からなる歯車で、外側の歯車が樹脂製で内側には、後述する第一回転軸41と第二回転軸42を保持し、回転軸を回転可能とする複数の金属リブが設けられている。第三歯車33と第四歯車34は第一回転軸41と第二回転軸42を固着した状態で台座に保持されている。
【００３６】
第一歯車31と第二歯車32、第三歯車33と第四歯車34の上部にはL字状の座金400,401が設けてある。座金400,401は３箇所に孔が設けてあり固定筒25上の１つめの孔にはネジが固定され、２つめの屈曲部の孔には第一歯車31、第二歯車32をそれぞれ固定するボルトが固定され、３つめの孔は第三歯車33、第四歯車34上で第一回転軸41、第二回転軸42を挿通し第三歯車33、第四歯車34が水平方向および上下方向に移動しないようにガイドしている。
そして、第三歯車33、第四歯車34には、防水用のパッキンを挿通した状態の第一回転軸41、第二回転軸42がそれぞれ挿入され固定される。第一回転軸41の上端には上述した脱水カゴ81、第二回転軸42の上端には洗浄ヘッド78がそれぞれ筐体底面を挟んで装着される。
【００３７】
他方モップ9は、図５，６に示すようにモップ柄91、回転グリップ92、ジョイント板93およびモップヘッド94からなる。回転グリップはモップ柄を回転可能に支持できる筒体である。
【００３８】
以上の構成においてモップを洗浄するときには、筐体に水を入れ、モップヘッド裏側に形成された凹部を洗浄ヘッド78の洗浄ヘッド嵌合突起79と嵌合させた状態で筐体に入れた状態に保持する。（図2）
【００３９】
その後、ペダル10を踏み込むとペダル下部に設けた突出部102が直線歯車122に設けられた起立部123の縦長穴125内をピンと共に降下する。その動作によって直線歯車122は踏み部の反対側（筐体内部側）に水平移動する。そのときに水平歯車に設けられた歯127によって噛み合っていた第二歯車32の下段歯車が回転する。
【００４０】
それにより一体となって回転する上段歯車も回転し、噛み合った第四歯車34を回転させることになる。第四歯車34の中心部には第二回転軸42が強固に結合されているので、第二回転軸42も回転する。よって、第二回転軸42の先端に装着された洗浄突起が回転しモップヘッドも洗浄用突起77に押し当てられてられた状態で回転し、モップは洗浄用突起77に擦り合わされてモップが洗浄される。
【００４１】
このとき、モップの柄は回転クリップ92に装着されているので、回転クリップ92を支えておけば保持している手まで回転力を受けずに済むため安定した洗浄が可能となる。この動作を数回繰り返すことでモップ房95に付いた埃やごみを取り除くことができる。
【００４２】
また、洗浄後にモップを脱水したいときにも同様の操作となる。まず、脱水カゴ81にモップ房95が収容されてしまうように（モップ房95がはみ出さないように）モップの柄を立てた状態で保持する。（図3）
【００４３】
この状態で、図４のようにペダル10を踏み込むとペダル下部に設けた突出部102が直線歯車122に設けられた起立部123に設けられた縦長穴125内をピンと伴に降下する。その動作によって直線歯車122は踏み部の反対側（筐体内部側）に水平移動する。そのときに水平歯車に設けられた歯127によって噛み合っていた第一歯車31の下段歯車が回転する。
【００４４】
それにより一体となって回転する上段歯車も回転し、噛み合った第三歯車33を回転させることになる。第三歯車33の中心部には第一回転軸41が強固に結合されているので、第一回転軸41回転する。よって、第一回転軸41に装着された脱水カゴ81が回転し、モップヘッド94も脱水カゴ81に装着された状態で回転し、モップの水分が遠心力などにより飛ばされる。飛ばされた水は筐体内に再び落下する。
【００４５】
このときも同様に、モップの柄は回転クリップ92に装着されているので、回転クリップ92を支えておけば保持している手まで回転力を受けずに済むため安定した脱水動作が可能となる。この動作を数回繰り返すことでモップ房95に付いた水分を適度に取り除くことができる。
【００４６】
このように本発明のモップ用回転バケツでは簡便な操作で洗浄作業も行なえ、かつ部品点数も少ないため、安価にモップ用回転バケツ製造が可能となる。
【図面の簡単な説明】
【００４７】
【図１】本発明のモップ用回転バケツの斜視図である。
【図２】本発明のモップ用回転バケツにモップを装着（洗浄）した一部切り欠き斜視図である。
【図３】本発明のモップ用回転バケツにモップを装着（脱水）した斜視図である。
【図４】本発明のモップ用回転バケツにおける回転操作の説明図である。
【図５】本発明に用いられるモップの斜視図である。
【図６】図５の分解説明図である。
【図７】本発明の駆動機構の説明図である。
【図８】本発明の直線歯車の部分拡大図である。
【符号の説明】
【００４８】
1  駆動機構
10  ペダル
101  踏み部
1011  滑り止めリブ
102  突出部
11  支持部
122  直線歯車
123  起立部
124  側板
125  縦長孔
126  切り欠き
127    歯
13  軸
14  ばね
17  ピン
2  台座
21  第一（乾燥）台座
22  第二（洗浄）台座
212  ガイドレール
222  ガイドレール
24  ストッパー
25  固定筒
31  第一歯車
32   第二歯車
33  第三歯車
34  第四歯車
41  第一回転軸
42  第二回転軸
7  筐体
72  短手側面
73  把手
74  凹部
75  穴
76  円錐
77  洗浄用突起
78  洗浄ヘッド
79  洗浄ヘッド嵌合突起
80  円筒状段部
81  脱水カゴ
82  脱水カゴフレーム
83  水切りスリット
9  モップ
91  モップ柄
92  回転グリップ
93  ジョイント板
94  モップヘッド
95  モップ房
【図１】
2011251112.tif 000003
【図２】
2011251112.tif 000004
【図３】
2011251112.tif 000005
【図４】
2011251112.tif 000006
【図５】
2011251112.tif 000007
【図６】
2011251112.tif 000008
【図７】
2011251112.tif 000009
【図８】
2011251112.tif 000010